(57)【要約】      （修正有）【課題】傷や汚れで痛んだソファーの座面を被覆する生地を容易に交換できるソファーカバーを提供する。【解決手段】既存の椅子の座面を張り替える為のソファーカバー１０であって、前記ソファーカバーは、前記座面の表面全体を覆って収納可能とした収納部１１と、前記座面の裏面を周囲４辺から折りたたんで前記収納部に収納する複数の折りたたみ辺１２〜１５と、を有し、前記複数の折りたたみ辺の重合部分を面ファスナー１２ａ、１２ｂ及び１３ａ、１３ｂなどで接合することを特徴としてソファーカバー１０とした。【選択図】図２
0003181757.tif 000002
【実用新案登録請求の範囲】
【請求項１】
既存の椅子の座面を張り替える為のソファーカバーであって、
前記ソファーカバーは、
前記座面の表面全体を覆って収納可能とした収納部と、
前記座面の裏面を周囲４辺から折りたたんで前記収納部に収納する複数の折りたたみ辺と、を有し、
前記複数の折りたたみ辺の重合部分を面ファスナーで接合することを特徴とするソファーカバー。
【考案の詳細な説明】
【技術分野】
【０００１】
本考案は、ソファーカバーに関するものであり、詳しくは、傷や汚れで痛んだソファーの座面を被覆する生地を容易に交換できるソファーカバーに関するものである。
【背景技術】
【０００２】
従来、飲食店舗（主に、ファミリーレストランチェーン店、ファストフードチェーン店等）においては、一人用から複数（二・三人）用のソファーがテーブルを挟んで使用されている。このソファーの座面を被覆する生地（以下、表皮材という）には、耐久性や抗菌性の高いビニールレザー等の素材が用いられている。
【０００３】
しかし、いくら耐久性や抗菌性の高い表皮材を座面に用いたとしても、所定期間使用すると汚れや傷が生じるため定期的なメンテナンスや交換が必要である。
【０００４】
このため、特許文献１に示すように、座部５（座面）の表皮材の張替えが容易なように、座部５を座フレーム４に着脱自在とした組立て式の椅子が開示されている。
【先行技術文献】
【特許文献】
【０００５】
【特許文献１】特開平１０−１７９３２１号公報
【考案の概要】
【考案が解決しようとする課題】
【０００６】
ところが、上記特許文献１の組立て式の椅子は、あくまで座部５を座フレーム４に対して着脱自在にしたに過ぎない。つまり、外した座部５の表皮材５ｃの張替え（つまり、交換）は、従来の一体型の椅子に比較するといくらか作業が容易になるだけであり、張替え作業には、まず、古い表皮材５ｃを座部５から剥がして、その後、新たな表皮材５ｃを座部５に貼り付けるなどの専門業者による作業と相応な作業時間が必要であった。
【０００７】
このため、上記組立て式の椅子（以下、ソファーという）を用いた飲食店舗では、店舗全体のソファーの座面の表皮材を交換する場合に、十分な交換作業の時間が確保できる店休日などを利用して行う必要があり、また、表皮材の張替え作業も専門業者に委託する必要があった。これでは、店舗全体のソファーの座面の表皮材を交換するたびに、時間の面でも経費の面でも相当な負担となる。
【０００８】
本考案は上記課題を解決するものであり、飲食店舗などにおけるソファーの座面の表皮材を交換する場合に、短時間で交換作業が行え、さらに、交換作業に専門業者を必要としないソファーカバーを提供することを目的とする。
【課題を解決するための手段】
【０００９】
請求項１に係る本考案は、既存の椅子の座面を張り替える為のソファーカバーであって、前記ソファーカバーは、前記座面の表面全体を覆って収納可能とした収納部と、前記座面の裏面を周囲４辺から折りたたんで前記収納部に収納する複数の折りたたみ辺と、を有し、前記複数の折りたたみ辺の重合部分を面ファスナーで接合することを特徴とするソファーカバーとした。
【考案の効果】
【００１０】
請求項１に記載の考案によれば、既存の座面の表面全体を覆って収納可能とした収納部と、座面の裏面を周囲４辺から折りたたんで収納部に収納する複数の折りたたみ辺と、を有し、複数の折りたたみ辺の重合部分を面ファスナーで接合するようにしたソファーカバーを用いて、痛んだり汚れたりした既存の椅子の座面の表皮材を交換する必要がある場合は、椅子から座面のみを取外して、取外した座面全体をソファーカバーに収納して、再び椅子に取り付けるだけで、既存の椅子の座面の交換作業を行うことができる。このため、交換が必要な既存の椅子の座面の古い表皮材を剥がして新しい表皮材を張り替えるなどの専門業者による作業を必要とすることなく、なおかつ短時間で容易に従業員等により交換作業を行うことができるので、時間と経費の削減を図ることができる。
【００１１】
さらに、上述したようにソファーカバーは、従業員等により短時間で容易に交換できるため、例えば、飲食店舗において季節の食材に応じたイベントを行う場合に、店舗全体の座面のソファーカバーを、イベントに合わせたソファーカバーに交換することで、座面のリニューアルによる集客の向上を図ることも可能となる。
【図面の簡単な説明】
【００１２】
【図１】本考案に係るソファーカバーの構造を示す正面図である。
【図２】第１実施例に係る座面へのソファーカバーの取付を説明する図である。
【図３】第２実施例に係る座面へのソファーカバーの取付を説明する図である。
【図４】第３実施例に係る座面へのソファーカバーの取付を説明する図である。
【図５】第４実施例に係る座面へのソファーカバーの取付を説明する図である。
【図６】第５実施例に係る座面へのソファーカバーの取付を説明する図である。
【図７】本実施形態に係る座面の着脱を説明する図である。
【考案を実施するための形態】
【００１３】
以下、本考案に係るソファーカバーの実施例について、図１〜７を参照して具体的に説明する。なお、以下の説明においては、例えば、飲食店舗（ファミリーレストラン）で使用される二・三人用のソファー（図７参照）の座面をソファーカバーによりメンテナンスする例を一例として説明する。また、本考案に係るソファーカバーの材質は、ソファーの座面の表皮材と同じ耐久性や抗菌性の高いビニールレザー等が用いられている。
［ソファーの構成］
【００１４】
本考案に係るソファーカバーが用いられるソファーについて、図７を参照して説明する。図７に示すように、本考案が使用されるソファーカバーは、座面３０が着脱自在に構成されたソファー４０に対して好適に用いられる。図７（ａ）に示すように、ソファー４０は、大別して座面３０、背面３５、座フレーム３４及び脚部４２から構成されている。また、座面３０は座フレーム３４に対して着脱自在としている。
【００１５】
図７（ｂ）に示すように、座面３０の表面３１が傷や汚れで痛んだ場合は、座フレーム３４から座面３０を分離する。そして、詳細は後述するが、図７（ｃ）に示すように、本考案に係るソファーカバー１０により座面３０の表面３１を被覆した後、再び座フレーム３４に座面３０を設置することで、座面３０のメンテナンス（補修）が終了する。
【００１６】
なお、本考案に係るソファーカバー１０は、図７に示す二・三人用のソファーに限らず、座面３０が着脱自在な組立て式であれば、一人用の椅子や二・三人よりもより大人数が使用できるソファー等においても用いることできる。つまり、本考案に係るソファーカバー１０は、メンテナンスの対象のソファーや椅子の座面の大きさや形状に合わせることで、多種多様なソファーや椅子の座面のメンテナンスを行うことが可能である。
［ソファーカバーの構成］
【００１７】
本考案で使用されるソファーカバー１０は、図１に示すように、コンパクトに三つ折りに畳まれて所定の袋に梱包された状態で作用場となる飲食店舗に搬入される。そして、折りたたんだ状態から展開したソファーカバー１０は、中央に座面３０を収納する収納部１１と、座面３０の収納部１１への収納状態を保持する複数の折りたたみ辺１２、１３、１４、１５とにより構成されている。
【００１８】
この折りたたみ辺１２、１３、１４、１５は、座面３０の長手方向に沿った相対的に長い折りたたみ辺１２、１３と、短手方向に沿って相対的に短い折りたたみ辺１４、１５との合計４枚で構成されている。また、折りたたみ辺１２、１３、１４、１５の表面及び裏面には、座面３０の収納部１１への収納状態を保持するために、折りたたみ辺１２、１３、１４、１５を座面３０の裏面３２に結合する長さや面積の異なる複数の面ファスナー１２ａ、１２ｂ、１３ａ〜１３ｃ、１４ａ、１４ｂ、１５ａ、１５ｂが設けられている。また、折りたたみ辺１２、１３、１４、１５の材質は、座面の表皮材と同じビニールレザーや布である。
【００１９】
なお、詳細は後述するが、ソファーカバー１０に設けられた複数の折りたたみ辺や各折りたたみ辺に設けられた複数の面ファスナーは、収納する座面３０の形状や大きさに合わせて形状が異なる。また、本考案で使用される面ファスナーは、例えば、マジックテープ（登録商標）などの周知のものであり、複数回の結合・分離が可能なものである。
［第１実施例］
【００２０】
以下、図２を用いて、本考案に係るソファーカバー１０の第１実施例を説明する。なお、以下の説明においては、図７に示すように、座フレーム３４に着脱自在に構成された座面３０に対して、傷等の目立つ座面３０をソファーカバー１０により覆う手順を一例として説明する。
【００２１】
図２に示すように、ソファーカバー１０の中央部には、座面３０を収納する収納部１１が設けられている。そして、収納部１１の長手方向に沿った両端には、折りたたみ辺１２、１３が設けられ、収納部１１の短手方向に沿った両端には、折りたたみ辺１４、１５が設けられている。収納部１１に座面３０の表面３１を下方として収納した後に、各折りたたみ辺１２、１３、１４，１５に設けられた複数の面ファスナー１２ａ、１２ｂ、１３ａ〜１３ｃ、１４ａ、１４ｂ、１５ａ、１５ｂをそれぞれ所定の順序で結合することにより、座面３０がソファーカバー１０により覆われることになる。
【００２２】
最初に、図２（ａ）に示すように、ソファー４０（図７参照）から分離した座面３０の表面３１を下方として、ソファーカバー１０の収納部１１に座面３０を収納する。これにより、座面３０の表面３１の全面がソファーカバー１０により覆われることになる。このとき、座面３０の長手方向の一端の角は、当該座面３０に人が座り易いように他端の角と比べて丸みが設けられている。このため、本実施例に係るソファーカバー１０の収納部１１の形状も、座面３０の長手方向の両端の角の形状に合わせて作られている。よって、座面３０を収納部１１に収納する場合には、収納部１１の形状に合わせて座面３０が収納される。
【００２３】
次に、座面３０の長手方向に沿って両端に位置する折りたたみ辺１２、１３を座面３０の裏面３２の中央方向に引っ張って、折りたたみ辺１２の接続端部全体に沿って設けられた面ファスナー１２ａと、折りたたみ辺１３の接続端部全体に沿って設けられた面ファスナー１３ａとを接合する。このとき、座面３０の裏面３２には、座面３０をソファー４０の座フレーム３４（図７参照）に設置する為の木サン３３、３３が、座面３０の短手方向の両端近傍に２箇所設けられているため、折りたたみ辺１２、１３は、木サン３３、３３を避けて座面３０の裏面３２に接合される形状としている。
【００２４】
そして、座面３０の短手方向の一端に位置する折りたたみ辺１４の両端を座面３０の裏面３２の中央方向に引っ張りながら、折りたたみ辺１４の両端に設けられた面ファスナー１４ｂ、１４ｂと、折りたたみ辺１２、１３を接合した後に座面３０の裏面３２に形成される面ファスナー１２ｂ、１３ｂと、をそれぞれ結合する。同様にして、折りたたみ辺１４の略中央に設けられた面ファスナー１４ａと折りたたみ辺１２、１３を接合した後の接合部に形成される面ファスナー１３ｃとを木サン３３を跨いで結合する。
【００２５】
最後に、座面３０の短手方向の一端に位置する折りたたみ辺１５の両端を座面３０の裏面３２の中央方向に引っ張りながら、折りたたみ辺１５の両端に設けられた面ファスナー１５ｂ、１５ｂと折りたたみ辺１２、１３を接合した後に座面３０の裏面３２に形成される面ファスナー１２ｂ、１３ｂとをそれぞれ結合する。同様にして、折りたたみ辺１５の略中央に設けられた面ファスナー１５ａと折りたたみ辺１２、１３を接合した後の接合部に形成される面ファスナー１３ｃとを木サン３３を跨いで結合する。
【００２６】
このように、各折りたたみ辺を、座面３０の裏面３２の中央方向に引っ張りながら、各折りたたみ辺に設けられた複数の面ファスナー（例えば、１２ａと１３ａ）を接合させることで、ソファーカバー１０の収納部１１に収納された座面３０の表面３１に位置するソファーカバー１０に弛みや緩みが生じないようにして、ソファーカバー１０により座面３０の表面３１を覆うことができる。
【００２７】
上述した第１実施例によれば、座面３０の裏面３２の短手方向の両端近傍に木サン３３、３３が突出していた場合でも、座面３０をソファーカバー１０の収納部１１に安定して保持することができる。
【００２８】
なお、既に、本実施例におけるソファーカバー１０で被覆済みの座面３０に対して、所定期間の使用により傷や汚れが目立つソファーカバー１０を交換する場合は、上述した手順の前に、座面３０を覆っているソファーカバー１０の複数の面ファスナーの結合を解除し、古いソファーカバー１０を座面３０から剥ぎと取った後に、上述した手順で新しいソファーカバー１０により座面３０の表面３１を覆うことになる。
【００２９】
また、本実施例におけるソファーカバー１０は、短時間で容易に交換可能なため、必ずしも傷や汚れが目立ってきたソファーカバー１０を交換するだけではなく、例えば、冬期は暖色系の色のソファーカバー１０に交換し、夏期には寒色系の色のソファーカバー１０に交換するなど、定期的に季節に応じたソファーカバー１０に交換して、座面のリニューアルを行い集客の向上を図ることも可能となる。
［第２実施例］
【００３０】
以下、図３を用いて、本考案に係るソファーカバー１０の第２実施例を説明する。なお、この第２実施例においては、上述した第１実施例と同様な点は説明を省略し、異なる点を主に説明する。
【００３１】
最初に、上述した第１実施例と同様に、図３（ａ）に示すように、座面３０の表面３１を下方として、ソファーカバー１０の収納部１１に座面３０を収納する。
【００３２】
次に、座面３０の長手方向に沿って両端に位置する折りたたみ辺１２、１３を座面３０の裏面３２の中央方向に引っ張って、折りたたみ辺１２の接続端部全体に沿って設けられた面ファスナー１２ａと、折りたたみ辺１３の接続端部全体に沿って設けられた面ファスナー１３ａとを接合する。このとき、座面３０の裏面３２には、座面３０をソファー４０の座フレーム３４（図７参照）に設置する為の木サン３３、３３が、座面３０の長手方向の一端（折りたたみ辺１２側）近傍に２箇所設けられている。このため、折りたたみ辺１２、１３は、木サン３３、３３を避けて座面３０の裏面３２に接合される形状としている。
【００３３】
そして、座面３０の短手方向の両端に位置する折りたたみ辺１４、１５の両端を座面３０の裏面３２の中央方向に引っ張りながら、折りたたみ辺１４、１５の両端に設けられた面ファスナー１４ｂ、１４ｂ及び１５ｂ、１５ｂと、折りたたみ辺１２、１３を接合した後に座面３０の裏面３２に形成される面ファスナー１２ｂ、１３ｂと、をそれぞれ結合する。同様にして、折りたたみ辺１４、１５の略中央に設けられた面ファスナー１４ａ、１５ａと折りたたみ辺１２、１３を接合した後の接合部に形成される面ファスナー１３ｃとをそれぞれ結合する。
【００３４】
上述した第２実施例によれば、座面３０の裏面３２の長手方向の一端近傍に木サン３３、３３が突出していた場合でも、当該木サン３３、３３を避けて折りたたみ辺１２、１３を結合することができるので、座面３０をソファーカバー１０の収納部１１に安定して保持することができる。
［第３実施例］
【００３５】
以下、図４を用いて、本考案に係るソファーカバー１０の第３実施例を説明する。なお、この第３実施例においても、上述した第１実施例と同様な点は説明を省略し、異なる点を主に説明する。
【００３６】
最初に、上述した第１実施例と同様に、図４（ａ）に示すように、座面３０の表面３１を下方として、ソファーカバー１０の収納部１１に座面３０を収納する。
【００３７】
次に、座面３０の長手方向に沿った一端に位置する折りたたみ辺１２を、他端の折りたたみ辺１３まで引っ張って、折りたたみ辺１３の内部に巻き込むようにして、折りたたみ辺１３に設けられた面ファスナー１３ａを接合する。つまり、第４実施例においては、折りたたみ辺１２は、座面３０の裏面３２全体を覆って折りたたみ辺１３に接合される形状としている。このため、座面３０の長手方向の一端（折りたたみ辺１２側）近傍に２箇所設けられた木サン３３、３３も、折りたたみ辺１２に覆われることになる。
【００３８】
さらに、折りたたみ辺１２全体が面ファスナーを結合可能としており、座面３０の短手方向の両端に位置する折りたたみ辺１４、１５の両端を座面３０の裏面３２の中央方向に引っ張りながら、折りたたみ辺１４、１５の両端に設けられた面ファスナー１４ｂ、１４ｂ及び１５ｂ、１５ｂと、折りたたみ辺１２、１３を接合した後に座面３０の裏面３２に形成される面ファスナー１２ｂ、１３ｂと、をそれぞれ結合する。同様にして、折りたたみ辺１４、１５の接続端部に沿って設けられた面ファスナー１４ａ、１５ａを折りたたみ辺１２と結合する。
【００３９】
上述した第３実施例によれば、座面３０の裏面３２の長手方向の一端近傍に木サン３３、３３が突出していた場合に限らず、座面３０の裏面３２の形状にある程度の起伏があった場合でも、折りたたみ辺１２により座面３０の裏面３２の全面を覆って、折りたたみ辺１２と折りたたみ辺１３を結合することができるので、座面３０をソファーカバー１０の収納部１１に安定して保持することができる。
［第４実施例］
【００４０】
以下、図５を用いて、本考案に係るソファーカバー１０の第４実施例を説明する。なお、この第４実施例においても、上述した第１実施例と同様な点は説明を省略し、異なる点を主に説明する。
【００４１】
最初に、上述した第１実施例と同様に、図５（ａ）に示すように、座面３０の表面３１を下方として、ソファーカバー１０の収納部１１に座面３０を収納する。
【００４２】
次に、座面３０の長手方向に沿って両端に位置する折りたたみ辺１２、１３を座面３０の裏面３２の中央方向に引っ張って、折りたたみ辺１２の接続端部全体に沿って設けられた面ファスナー１２ａと、折りたたみ辺１３の接続端部全体に沿って設けられた面ファスナー１３ａとを接合する。このとき、座面３０の裏面３２は、折りたたみ辺１２、１３により覆われることになる。
【００４３】
そして、座面３０の短手方向の両端に位置する折りたたみ辺１４、１５の略中央部を座面３０の裏面３２の中央方向に引っ張りながら、折りたたみ辺１４、１５の接続端部に沿って設けられた面ファスナー１４ａ、１５ａと折りたたみ辺１２、１３を接合した後の接合部に形成される面ファスナー１２ｂ、１３ｂとをそれぞれ結合する。
【００４４】
上述した第４実施例によれば、座面３０の裏面３２の形状がフラットな場合は、他の実施例と比較して相対的に少ない面ファスナーの数により、座面３０をソファーカバー１０の収納部１１に安定して保持することができる。
［第５実施例］
【００４５】
以下、図６を用いて、本考案に係るソファーカバー１０の第５実施例を説明する。なお、この第５実施例においても、上述した第１実施例と同様な点は説明を省略し、異なる点を主に説明する。
【００４６】
最初に、上述した第１実施例と同様に、図６（ａ）に示すように、座面３０の表面３１を下方として、ソファーカバー１０の収納部１１に座面３０を収納する。
【００４７】
次に、座面３０の短手方向に沿って両端に位置する折りたたみ辺１４、１５を、座面３０の中央方向に引っ張って座面３０の裏面に密着させて折り曲げる。この状態で、折りたたみ辺１４、１５の両端に形成される面ファスナー１４ｂ、１５ｂと、座面３０の長手方向の両端に位置する折りたたみ辺１２、１３の両端に設けられた面ファスナー１２ｂ、１３ｂをそれぞれ結合する。
【００４８】
そして、座面３０の長手方向の折りたたみ辺１２、１３の対向する位置に２箇所設けられた面ファスナー１２ａ、１３ａ同士を、座面３０の裏面３２の中央方向に引っ張り、所定の張力を維持した状態でそれぞれ結合する。
【００４９】
上述した第５実施例によれば、４辺の折りたたみ辺１２、１３、１４、１５により座面３０の裏面３２全体を覆うことなく、座面３０の表面３１をソファーカバー１０で覆うことができるので、座面３０の裏面３２の形状に合わせて、長手方向の折りたたみ辺１２、１３に２箇所設けられた面ファスナー１２ａ、１３ａの取り付け位置を調整することで、座面３０の裏面３２の形状（例えば、木サン３３の取付位置など）に関係なく、座面３０をソファーカバー１０の収納部１１に安定して保持することができる。
【００５０】
上述してきた各実施例によれば、飲食店舗などにおけるソファーの座面３０の表皮材を交換する場合に、ソファーカバー１０を取り付け（又は取り替える）だけで座面３０のメンテナンス作業が行え、さらに、メンテナンス作業に専門業者を必要としないため、短時間でなおかつローコストで、傷ついたり汚れたりした座面３０のメンテナンス作業を行うことができる。
【００５１】
また、座面３０のメンテナンス作業が従業員などにより短時間で容易に行えてローコストであるため、座面３０が汚れたり傷ついたりした場合以外でも、例えば、飲食店舗におけるイベントに合わせて定期的にソファーカバー１０の交換を行うことで、リニューアルによる集客の向上を図ることも可能となる。
【００５２】
なお、本考案は上述した実施形態に限定されるものではなく、本考案の要旨を逸脱しない範囲内で種々の改良、変形が可能であることはいうまでもない。
【符号の説明】
【００５３】
１０  ソファーカバー
１１  収納部
１２、１３、１４、１５  折りたたみ辺
１２ａ、１２ｂ、１３ａ、１３ｂ、１３ｃ、１４ａ、１４ｂ、１５ａ、１５ｂ  面ファスナー
３０  座面
４０  ソファー
【図１】
0003181757.tif 000003
【図２】
0003181757.tif 000004
【図３】
0003181757.tif 000005
【図４】
0003181757.tif 000006
【図５】
0003181757.tif 000007
【図６】
0003181757.tif 000008
【図７】
0003181757.tif 000009